(57)【特許請求の範囲】
【請求項１】
外枠と、該外枠に対し開閉又は取り外し可能に組み付けられる内枠とを備えた遊技機であって、
前記外枠に配置される電気部品と、前記内枠に配置され、該電気部品を制御する制御装置と、
前記外枠に配置され、前記電気部品に電気的に接続される第１接続部材と、前記内枠に配置され、前記制御装置に電気的に接続される第２接続部材と、
前記第１接続部材に設けられた第１磁性部と、
前記第１接続部材に設けられ、前記電気部品と電気的に接続する第１端子と、
前記第２接続部材に設けられた第２磁性部と、
前記第２接続部材に設けられ、前記制御装置と電気的に接続する第２端子と、
前記第１磁性部を前記第２磁性部に向かう方向に付勢する付勢部材と、
前記第１磁性部を前記付勢の方向とは反対方向にスライドさせる移動手段と、
を備え、
前記内枠を前記外枠に閉止させると、前記第１磁性部と前記第２磁性部とが磁力により接合して前記第１端子と前記第２端子とが接触導通することで、前記電気部品と前記制御装置とが電気的に接続されることを特徴とする遊技機。
【請求項２】
外枠と、該外枠に対し開閉又は取り外し可能に組み付けられる内枠とを備えた遊技機であって、
前記外枠に配置される電気部品と、前記内枠に配置され、該電気部品を制御する制御装置と、
前記外枠に配置され、前記電気部品に電気的に接続される第１接続部材と、前記内枠に配置され、前記制御装置に電気的に接続される第２接続部材と、
前記第１接続部材に設けられた第１磁性部と、
前記第１接続部材に設けられ、前記電気部品と電気的に接続する第１端子と、
前記第２接続部材に設けられた第２磁性部と、
前記第２接続部材に設けられ、前記制御装置と電気的に接続する第２端子と、
前記第２磁性部を前記第１磁性部に向かう方向に付勢する付勢部材と、
前記第２磁性部を前記付勢の方向とは反対方向にスライドさせる移動手段と、
を備え、
前記内枠を前記外枠に閉止させると、前記第１磁性部と前記第２磁性部とが磁力により接合して前記第１端子と前記第２端子とが接触導通することで、前記電気部品と前記制御装置とが電気的に接続されることを特徴とする遊技機。
【発明の詳細な説明】
【技術分野】
【０００１】
本発明は、パチンコ機やスロットマシン等の遊技機に関わり、さらに詳しくは、遊技場の島台に固定される外枠と、該外枠に対し開閉又は取り外し可能に組み付けられる内枠を備えた遊技機に関する。
【背景技術】
【０００２】
従来からパチンコ機等の遊技機は、遊技場の島台に固定される外枠と、該外枠に対し開閉又は取り外し可能に組み付けられる内枠とを備えている。一般的に、内枠の前面側には、表示装置（ＬＣＤ、ＬＥＤ）や電動役物（モータ、ソレノイド）等、種々の部品や装置が設けられる遊技盤を始めとして、球を貯留、発射させるための上皿及び下皿、球を遊技盤に発射する発射ハンドル、演出効果を高める装飾ランプやスピーカ等が設けられている。一方、内枠の背面側には、島台から補給される球を貯留する球貯留タンクや、賞品球を払い出すための賞品球払出装置等の機構部と、電気部品の作動を制御する種々の制御基板、例えば、遊技機の全体制御を司るメイン制御基板、表示装置の表示制御を行う表示制御基板、賞品球払出装置の払出制御を行う払出制御基板、装飾ランプの発光制御を行うランプ制御基板、発射ハンドルの発射制御を行う発射制御基板、スピーカの音制御を行う音声制御基板、及び、これら各種の電気部品と制御基板とを接続する多くの電線等が設けられている。
【０００３】
このように、内枠の前面側と背面側には、多くの電気部品や装置等が所狭しと設けられており、従って、遊技機を設計する上で、どの電気部品や装置を限られた内枠のスペースの何処に配置するかが大きな課題となっている。つまり、内枠における電気部品や装置の配置如何によって、遊技機の性能や取り扱いの良さに多大な影響を与えることになる。また、このように多くの電気部品や装置が密集している内枠に、性能を高めるため等に以前より大きな電気部品や装置を取り付けることは、遊技機の設計上、困難となっている。
【０００４】
そこで、少しでも内枠のスペースを確保して遊技機の設計上の自由度を高めたり、或いは、以前より性能の良い大きな電気部品や装置を取り付けたりするために、外枠のスペースを活用することが考えられる。しかしながら、電気部品を外枠に取り付けるようにすると、この電気部品を制御する制御基板は内枠に取り付けられているため、外枠に取り付けられた電気部品と、内枠に取り付けられた制御基板との電気的接続を、どのようにするかが問題となる。例えば、電線のみを用いて外枠側の電気部品と内枠側の制御基板とを接続しようとする場合、内枠が外枠に閉止している状態で、この電線が緩まない、若しくは少し緩む程度の長さにすると、内枠を開放したときに電線に過大な張力が加わり、該電線が断線するおそれがあり、一方、内枠が開放されている状態で、この電線が断線しない十分な長さにすると、内枠を外枠に閉止したとき、電線に緩みが生じ、内枠と外枠との間に該電線を挟み込んで破損させるおそれがある。
【０００５】
そこで、この様な問題を解決するため、次のような技術が開示されている。即ち、この開示技術は、外枠の下部に設けられ幕板にスピーカユニットを配置し、このスピーカユニットと内枠の音声制御基板とを接続する電線を、着脱可能な雄型コネクタと雌型コネクタとで接続して電線の損傷を防止するものである。この開示技術によれば、内枠が開放されている状態で、スピーカユニットと音声制御基板とを接続する電線に過大な張力が加わると、雄型コネクタと雌型コネクタとの接続が外れるように構成されている。
【０００６】
つまり、この開示技術は、外枠の電気部品と、この電気部品を制御する内枠の制御基板とを接続する電線の途中に着脱可能な接続部材を設け、内枠が開放されている状態では、この電線に所定の張力が加わるようにすると共に、内枠が外枠に閉止している状態では、内枠と外枠との間に電線を挟み込まないように、該電線の長さを調整している。これにより、内枠が開放されている状態で、例えば、球詰まりを解除している作業員が電線に触れて、電線に過大な張力が加わっても、接続部材が外れるため、該電線が断線することはなく、一方、内枠が外枠に閉止している状態では、内枠と外枠との間に電線を挟み込むことがないので、該電線を破損させることはない。（例えば、特許文献１参照）。
【先行技術文献】
【特許文献】
【０００７】
【特許文献１】特開２００３−１５４１３７号公報
【発明の概要】
【発明が解決しようとする課題】
【０００８】
しかしながら、斯かる開示技術においては、確かに、電線に過大な張力が加わると接続部材が外れるため、例えば、内枠を外枠から取り外す際に、接続部材を外し忘れたとしても電線の損傷を防止できるという効果はあるが、どの程度の張力が加わったら接続部材が外れるかを決めることは、容易ではない。即ち、内枠が開放されている状態で、電線に加わる所定の張力を決めることは、困難であり、例えば、この電線に加わる所定の張力を大きくすればするほど接続部材は外れやすくなり、遊技機の開閉による振動等の意図しない場合でも接続部材が外れ、遊技に支障を来すという問題点がある。また、外枠に内枠を取り付ける際には、作業員が接続部材を接続する作業を行う必要があり、接続部材の接続をし忘れるという問題点もある。
【０００９】
本発明は、上記した問題点の少なくとも１つを解決するためになされたもので、その目的とするところは、外枠に設けられた電気部品と、外枠に対し開閉又は取り外し可能に組み付けられる内枠に設けられた該電気部品を制御する制御基板との電気的接続を、簡単な構成で確実に行うことのできる遊技機を提供することにある。
【課題を解決するための手段】
【００１０】
この様な問題を解決するために、本発明の遊技機は、請求項１に記載したように、外枠と、該外枠に対し開閉又は取り外し可能に組み付けられる内枠とを備えた遊技機であって、前記外枠に配置される電気部品と、前記内枠に配置され、該電気部品を制御する制御装置と、前記外枠に配置され、前記電気部品に電気的に接続される第１接続部材と、前記内枠に配置され、前記制御装置に電気的に接続される第２接続部材と、前記第１接続部材に設けられた第１磁性部と、前記第１接続部材に設けられ、前記電気部品と電気的に接続する第１端子と、前記第２接続部材に設けられた第２磁性部と、前記第２接続部材に設けられ、前記制御装置と電気的に接続する第２端子と、前記第１磁性部を前記第２磁性部に向かう方向に付勢する付勢部材と、前記第１磁性部を前記付勢の方向とは反対方向にスライドさせる移動手段と、を備え、前記内枠を前記外枠に閉止させると、前記第１磁性部と前記第２磁性部とが磁力により接合して前記第１端子と前記第２端子とが接触導通することで、前記電気部品と前記制御装置とが電気的に接続されることを要旨とする。
【００１１】
また、請求項２に記載の遊技機は、外枠と、該外枠に対し開閉又は取り外し可能に組み付けられる内枠とを備えた遊技機であって、前記外枠に配置される電気部品と、前記内枠に配置され、該電気部品を制御する制御装置と、前記外枠に配置され、前記電気部品に電気的に接続される第１接続部材と、前記内枠に配置され、前記制御装置に電気的に接続される第２接続部材と、前記第１接続部材に設けられた第１磁性部と、前記第１接続部材に設けられ、前記電気部品と電気的に接続する第１端子と、前記第２接続部材に設けられた第２磁性部と、前記第２接続部材に設けられ、前記制御装置と電気的に接続する第２端子と、前記第２磁性部を前記第１磁性部に向かう方向に付勢する付勢部材と、前記第２磁性部を前記付勢の方向とは反対方向にスライドさせる移動手段と、を備え、前記内枠を前記外枠に閉止させると、前記第１磁性部と前記第２磁性部とが磁力により接合して前記第１端子と前記第２端子とが接触導通することで、前記電気部品と前記制御装置とが電気的に接続されることを要旨とする。
【発明の効果】
【００１９】
請求項１の遊技機は、外枠と、この外枠に対し開閉又は取り外し可能に組み付けられる内枠とを備えており、外枠には電気部品が配置され、内枠には、この電気部品を制御する制御装置が配置されている。また、外枠には、電気部品と電気的に接続される第１接続部材が配置され、内枠には、制御装置と電気的に接続される第２接続部材が配置されている。
【００２０】
そして、第１接続部材には第１磁性部が、第２接続部材には第２磁性部がそれぞれ設けられており、内枠を外枠に閉止する（内枠を外枠に対して閉じた状態で組み付ける）と、第１磁性部と第２磁性部とが磁力により接合して、外枠に配置された第１接続部材と内枠に配置された第２接続部材とが接続する。これにより、外枠に配置された電気部品と内枠に配置された制御装置とが電気的に接続する。
【００２１】
なお、第１磁性部及び第２磁性部としては、種々考えられ、例えば、第１磁性部を、磁石又は磁石を含む磁性体で構成し、第２磁性部を、磁石に引っ付く材質（鉄やニッケル等）で構成するようにしてもよい。逆に、第１磁性部を、磁石に引っ付く材質（鉄やニッケル等）で構成し、第２磁性部を、磁石又は磁石を含む磁性体で構成するようにしてもよい。或いは、第１磁性部と第２磁性部とを、共に磁石又は磁石を含む磁性体で構成するようにしてもよい。
【００２２】
従って、このように構成される本発明の遊技機においては、内枠を外枠に閉止するだけで、外枠側の第１接続部材と内枠側の第２接続部材とを接続することができるので、その結果、外枠側の電気部品と内枠側の制御基板とを接続する電線を省略して、簡単な構成で極めて容易に外枠側の電気部品と内枠側の制御基板とを導通させることができる。また、この電気部品と制御基板とを接続する電線を省略することができるので、内枠を外枠に取り付ける際には、作業員が接続部材を接続する煩わしい作業を行う必要がなく、その結果、接続部材の接続をし忘れて遊技に支障を来すというトラブルが皆無となる。さらに、接続部材は、磁力によって確実に接続するので、その結果、外枠側の電気部品と内枠側の制御基板とを、容易且つ確実に導通させることができる。
【００２３】
ここで、外枠側の第１接続部材と内枠側の第２接続部材との具体的な接続形態は、次のようにするとよい。即ち、第１接続部材は、電気部品と電気的に接続する第１端子を備え、第２接続部材は、制御装置と電気的に接続する第２端子を備えている。そして、電気部品と制御装置とは、第１磁性部と第２磁性部とが磁力により接合すると、第１端子と第２端子とが接触導通し、電気的に接続する。従って、このように構成される本発明の遊技機においては、外枠側の第１端子と内枠側の第２端子とが、磁力によって接触導通するので、その結果、外枠側の電気部品と内枠側の制御基板とを、簡単な構成で確実に導通させることができる。
【００３４】
次に特許請求の範囲の構成と、本発明の実施形態との主な対応を説明する。
外枠は、外枠２２に相当し、内枠は、内枠２３に相当し、遊技機は、遊技機１に相当し、電気部品は、スピーカユニット１１３に相当し、制御装置は、音声制御基板３８に相当し、第１接続部材は、外枠コネクタ８８に相当し、第２接続部材は、内枠コネクタ７７に相当し、第１磁性部は、鉄板９７に相当し、第２磁性部は、磁性体８１に相当し、第１端子は、端子７６に相当し、第２端子は、端子６５に相当し、付勢部材は、スプリング６６、スプリング８５、スプリング２００に相当し、移動手段は、係止片６３、段差部８２、溝８３、係止片１９８ａ、段差部２０１、溝２０２に相当する。
【図面の簡単な説明】
【００３５】
【図１】本実施形態に係わる遊技機１の全体斜視図である。
【図２】本実施形態に係わる遊技機１の全体正面図である。
【図３】本実施形態に係わる遊技盤２１の正面図である。
【図４】本実施形態に係わる表示集合板４５の正面図である。
【図５】本実施形態に係わる遊技機１の背面側に設けられた遊技機制御装置１００の要部ブロック図である。
【図６】本実施形態に係わる遊技機制御装置１００を構成する主制御基板４４と表示制御基板１１１との関係を示す概略ブロック図である。
【図７】本実施形態に係わる遊技機１の全体背面略図である。
【図８】本実施形態に係わる外枠コネクタ８８が外枠２２に取り付けられている状態を示す説明図である。
【図９】本実施形態に係わる内枠コネクタ７７が内枠２３に取り付けられている状態を示す説明図である。
【図１０】本実施形態に係わる内枠２３が外枠２２に閉止するときの内枠コネクタ７７と外枠コネクタ８８との接続の状態を示す説明図である。
【図１１】本実施形態に係わる図８の矢印Ａの方向から視たときの外枠コネクタ８８の内部構造を示す説明図である。
【図１２】本実施形態に係わる外枠コネクタ８８の図１１に示すＡ−Ａ断面における断面図である。
【図１３】本実施形態に係わる図９の矢印Ｂの方向から視たときの内枠コネクタ７７の内部構造を示す説明図である。
【図１４】本実施形態に係わる内枠コネクタ７７の図１３に示すＢ−Ｂ断面における断面図である。
【図１５】本実施形態に係わる磁性体８１の構成を示す説明図である。
【図１６】本実施形態に係る内枠コネクタ７７と外枠コネクタ８８の接続する前の内部状態を示す説明図である。
【図１７】本実施形態に係る内枠コネクタ７７と外枠コネクタ８８の接続したときの内部状態を示す説明図である。
【図１８】他の実施形態に係る内枠コネクタ１７７と外枠コネクタ１８８の接続する前の内部状態を示す説明図である。
【図１９】他の実施形態に係る内枠コネクタ１７７と外枠コネクタ１８８の接続したときの内部状態を示す説明図である。
【発明を実施するための形態】
【００３６】
以下に、本発明を実施するための形態を図を用いて説明する。図１は、遊技機１の全体斜視図、図２は、遊技機１の全体正面図、図３は、遊技盤２１の正面図、図４は、表示集合板４５の正面図、図５は、遊技機１の背面側に設けられた遊技機制御装置１００の要部ブロック図、図６は、遊技機制御装置１００を構成する主制御基板４４と表示制御基板１１１との関係を示す概略ブロック図である。
【００３７】
本実施形態の遊技機１は、図示しない遊技島に固定される外枠２２と、この外枠２２に取り付けられた内枠２３とから構成されており、内枠２３は、外枠２２に対し上下一対のヒンジ部材３５にて開閉及び取り外し可能に組み付けられている。内枠２３には、遊技者にパチンコ遊技を提供する遊技盤２１が着脱自在に設けられ、その上部にはガラス扉枠１７、下部には皿ユニット２４が設けられ、さらにその最上部には入賞に対する賞球の払い出しや球詰まり、異常等を報知する遊技効果ランプ１５が設けられている。皿ユニット２４には、遊技者が操作することにより打球発射装置４３を作動させる打球操作ハンドル２と、遊技球を打球発射装置４３に供給するための打球供給皿１２と、打球供給皿１２に入りきらない球を貯留することができるとともに、図示しない貯留球箱に遊技球を移動できるようになっている余剰球受皿１３と、打球供給皿１２に設けられ、遊技者が所定の遊技状態になったときに操作するプッシュ式の演出ボタン５１とが設けられている。
【００３８】
遊技盤２１には、打球発射装置４３によって打ち出された遊技球を誘導する打球誘導レール３と、打ち出された遊技球が一定範囲内で飛球するよう設けられた遊技領域形成レール４と、打球誘導レール３及び遊技領域形成レール４によって囲われた遊技領域５と、遊技領域５に打ち出された遊技球が再び打球誘導レール３と遊技領域形成レール４の間に戻ってファール球が発生するのを防止するファール球防止弁２８と、遊技領域５に打ち出された遊技球を不測の方向へ変化を与える風車２０と、演出図柄が回転する様子を示す擬似的な表示（以下、スクロール表示ともいう）や所定の遊技状態（例えばリーチ）になったときに様々な演出表示を行う液晶表示ディスプレイ（ＬＣＤ）等で構成された演出図柄表示装置６と、遊技球が入賞することによって演出図柄表示装置６及び後述の特別図柄表示装置４７に演出図柄の変動表示及び特別図柄の変動表示を開始させるチャッカー型の始動入賞口１１ａ、電動チューリップ型の始動入賞口１１ｂ（以下、両者を単に始動入賞口１１ともいう）と、演出図柄表示装置６が演出図柄（特別図柄表示装置４７が特別図柄）の変動表示中に遊技球が始動入賞口１１へ入賞した場合に、当該変動表示が終了した後に、あと何回変動表示するか（最高４回）を遊技者に報知するための保留記憶の点灯表示を順次行う４つの保留ＬＥＤ２５と、演出図柄表示装置６内において所定の画像を表示する表示部３０と、この表示部３０において３つの演出図柄をそれぞれ個別に表示する左図柄表示部８、中図柄表示部９、右図柄表示部１０と、演出図柄表示装置６における表示結果が予め定められた態様（大当り）になった場合、遊技者に有利に開口される大入賞口（アタッカ）７と、遊技球が通過することによって普通図柄表示装置１８（図４参照）に普通図柄の変動表示を開始させる普通図柄作動ゲート１９と、入賞することによって賞球が払い出される普通入賞口１４と、遊技領域５の最下部に設けられた遊技球を回収するアウト口１６と、所定の遊技状態になると回転する星型の可動物３２と、同様に所定の遊技状態になると下方に移動するオバケ型の３つの可動物３１と、所定の遊技状態になると点灯等の表示を行うＬＥＤが集められた表示集合板４５とが設けられている。
【００３９】
図４を参照して、遊技領域５の左側中ほどに遊技領域形成レール４に沿って設けられる表示集合板４５には、上部に特別図柄を変動表示する７セグメントＬＥＤで構成された特別図柄表示装置４７と、特別図柄表示装置４７下部の右側に配置され、確率変動状態時に点灯する確変ＬＥＤ４８ａと時短状態時に点灯する時短ＬＥＤ４８ｂから構成される確変時短表示装置４８と、特別図柄表示装置４７及び確変時短表示装置４８の下側に三連状に配置され、大当りのラウンド数を点灯表示する３つのラウンド表示ＬＥＤ４６ａ、４６ｂ、４６ｃから構成されるラウンド表示装置４６と、ラウンド表示装置４６の下側に配置され、普通図柄を変動表示するとともに、当りである場合に始動入賞口１１ｂとしての電動チューリップの羽根を所定時間開放させる当りＬＥＤ１８ａとはずれＬＥＤ１８ｂで構成される普通図柄表示装置１８と、普通図柄表示装置１８の下側に配置され、普通図柄表示装置１８が普通図柄の変動表示中に遊技球が普通図柄作動ゲート１９を通過した場合に、当該変動表示が終了した後に、あと何回変動表示するか（最高４回）を遊技者に報知するための保留記憶の点灯表示を順次行う４つの保留ＬＥＤ２６とが設けられている。
【００４０】
上記したように構成される遊技機１は、まず、遊技者の打球操作ハンドル２の操作により、打球発射装置４３から遊技球が発射され、打球誘導レール３と遊技領域形成レール４の間を通って遊技球が遊技盤２１上の遊技領域５に打ち出される。そして、遊技球は遊技領域５を自重により落下し、落下する過程においては、遊技盤２１に植設される遊技釘や風車２０によって落下する方向に変化を与えられ、始動入賞口１１や普通入賞口１４に入賞したり、普通図柄作動ゲート１９を通過したり、全ての入賞口に入賞しなかった場合には、アウト口１６に回収されたりするようになっている。
【００４１】
遊技球が普通入賞口１４に入賞した場合には、所定の賞品球が遊技者に与えられる。遊技球が始動入賞口１１（始動入賞口１１ａ、始動入賞口１１ｂ）に入賞した場合には、所定の賞品球を遊技者に与えるとともに、後述する始動入賞検出センサ１１６によって遊技球を検出し、演出図柄表示装置６の各図柄表示部８、９、１０に複数種類（例えば２０種類）の演出図柄をスクロール表示させ、所定時間後に左図柄表示部８、右図柄表示部１０、中図柄表示部９の順に演出図柄を停止させて確定表示を行い、左図柄表示部８の演出図柄と右図柄表示部１０の演出図柄とが停止した時点で大当りを構成する演出図柄の組合せ（例えば、左図柄表示部８の演出図柄と右図柄表示部１０の演出図柄とが同一の演出図柄の組合せ）である場合にはリーチとなり、演出図柄表示装置６の表示部３０にて所定のリーチアクションが演出表示されるようになっており、その後中図柄表示部９の演出図柄が停止した時点で確定表示された演出図柄が予め定められた大当り演出図柄の組合せである場合には大当りとなり、大入賞口７としてのアタッカを所定の態様で開放するようになっている。そしてこれら以外の演出図柄の組合せである場合には、はずれとなる。なお、演出図柄表示装置６にて左図柄表示部８、中図柄表示部９、右図柄表示部１０の演出図柄を停止させる順序は特に限定するものではなく、また、大当り以外に、中当りや小当りを設け、大入賞口７（アタッカ）を所定の態様で開放するようにしてもよい。
【００４２】
また、遊技球が始動入賞口１１に入賞した場合には、演出図柄表示装置６が作動するのと同時に特別図柄表示装置４７が作動して特別図柄が変動表示され、この特別図柄の変動表示は、演出図柄表示装置６にて変動表示されていた演出図柄が停止して確定表示されたとき、同時に停止して確定表示される。つまり演出図柄表示装置６の変動表示と特別図柄表示装置４７の変動表示は同期する。なお、特別図柄表示装置４７の変動表示は、７セグメントＬＥＤのセグメントを所定の順序で点灯させていくことで実行している。そして演出図柄表示装置６にて、はずれ又は大当り図柄が確定表示されたときは、特別図柄表示装置４７にも予め定められたはずれ又は大当り図柄が表示される。また、特別図柄表示装置４７において、はずれのときの特別図柄は１種類であり、一方大当りの特別図柄は複数種類（例えば２０種類）設けられており、これら大当りの特別図柄はそれぞれ大当りの遊技内容（例えばラウンド数、確率変動や時短の有無及び回数等）が異なるようになっている。なお、始動入賞口１１ａに入賞したときと、始動入賞口１１ｂに入賞したときとで大当りなる確率や、所定の遊技内容の大当りになる確率を異ならせるようにしてもよい。また、特別図柄表示装置４７にてはずれの特別図柄や大当りの特別図柄の種類は特に限定されるものではなく、例えばはずれの特別図柄を複数種類設けるようにしてもよい。
【００４３】
また、大当りになると、ラウンド表示装置４６のラウンド表示ＬＥＤ４６ａ、４６ｂ、４６ｃが当該大当りのラウンド数に応じて点灯する。例えば、今回の大当りの特別図柄が４ラウンド大当りである場合には、大入賞口７の作動中にラウンド表示ＬＥＤ４６ａが点灯し、大当りの特別図柄が７ラウンド大当りである場合には、大入賞口７の作動中にラウンド表示ＬＥＤ４６ｂが点灯し、大当りの特別図柄が１５ラウンド大当りである場合には、大入賞口７の作動中にラウンド表示ＬＥＤ４６ｂ、４６ｃが点灯するといった具合である。もちろん、これらラウンド表示ＬＥＤ４６ａ、４６ｂ、４６ｃが点灯する組合せは、大当りの特別図柄に応じて適宜設定するようにすればよい。
【００４４】
さらに、大当りの特別図柄が確率変動大当りである場合には、大入賞口７の作動終了後（大当り遊技終了後）次の大当りになるまで又は所定回数特別図柄が変動表示するまで大当りになる確率が上昇する遊技状態（確変状態）になり、この確変状態になっているときは確変時短表示装置４８の確変ＬＥＤ４８ａが点灯する。また、大当りの特別図柄が時短大当りである場合には、大入賞口７の作動終了後（大当り遊技終了後）次の大当りになるまで又は所定回数特別図柄が変動表示するまで特別図柄の変動時間が短縮する遊技状態（時短状態）になり、この時短状態になっているときは確変時短表示装置４８の時短ＬＥＤ４８ｂが点灯する。また、大当りの特別図柄が確率変動且つ時短大当りである場合には、大入賞口７の作動終了後（大当り遊技終了後）次の大当りになるまで又は所定回数特別図柄が変動表示するまで大当りになる確率が上昇且つ特別図柄の変動時間が短縮する遊技状態（確変時短状態）になり、この確変時短状態になっているときは確変ＬＥＤ４８ａと時短ＬＥＤ４８ｂが点灯する。そして、大当りの特別図柄がこれら以外の通常大当りである場合には、確変ＬＥＤ４８ａと時短ＬＥＤ４８ｂは点灯しない。
【００４５】
また、遊技球が普通図柄作動ゲート１９を通過した場合には、後述する作動ゲート検出センサ１２１によって遊技球を検出し、普通図柄表示装置１８に普通図柄を変動表示させて抽選を行い、所定時間経過後当りＬＥＤ１８ａが点灯して所定の当り図柄（例えば「◎」）が確定表示されれば当りとなり、電動チューリップ（始動入賞口１１ｂ）の羽根を所定時間開放し、一方所定時間経過後はずれＬＥＤ１８ｂが点灯して所定のはずれ図柄（例えば「×」）が確定表示されればはずれとなる。なお、遊技状態が確変状態や時短状態になっているときに普通図柄が当りとなったときは、電動チューリップ（始動入賞口１１ｂ）の羽根の開放時間を延長するようにしてもよい。この電動チューリップ（始動入賞口１１ｂ）の羽根の開放時間を延長する態様は、例えば羽根を複数回開放して開放時間を延長したり、１回の羽根の開放時間を延長したりすればよく、ただしこの場合、所定個数（例えば８個）の遊技球が入賞したら羽根を閉じるようにすればよい。
【００４６】
従ってこの様な遊技機１を遊技する遊技者は、遊技球が始動入賞口１１に入賞したときは大当りを期待することができるので、演出表示のない特別図柄表示装置４７の特別図柄よりも、極めて演出効果の高い演出図柄表示装置６に変動表示される演出図柄を注視することになる。そして、演出図柄表示装置６に大当りを構成する演出図柄の組合せが停止して遊技状態がリーチになったときは、遊技者が最も期待する瞬間となり、このとき演出図柄表示装置６に演出ボタン５１を操作させる演出が表示されたときは、遊技者は大当りを獲得すべく演出ボタン５１を操作することになる。これにより遊技に参加することができるという満足感を遊技者に与えて遊技機１の趣向性が向上する。
【００４７】
次に遊技機１の背面側に設けられた遊技機制御装置１００を図５を用いて説明する。遊技機制御装置１００は図５に示すように構成され、遊技機制御装置１００を主に構成する主制御基板４４は、入力回路１０１、出力回路１１０、ワンチップマイクロコンピュータ２７及びこれらを接続するバス１１５（データバス、アドレスバス、コントロールバス等）とを備えており、入力回路１０１を介して取得した各センサやスイッチ等からの信号に基づいて、ワンチップマイクロコンピュータ２７が出力回路１１０に接続されている各種基板や機器等を制御するための所定の制御プログラムを実行する。また、ワンチップマイクロコンピュータ２７は、制御プログラムを実行するＣＰＵ１０２、ＣＰＵ１０２が実行する制御プログラムを格納するＲＯＭ１０３及びＣＰＵ１０２が処理するデータを一時的に記憶するＲＡＭ１０４が内蔵されている。
【００４８】
入力回路１０１には、始動入賞口１１に設けられた遊技球の入賞を検出すると演出図柄及び特別図柄の変動開始信号を送る始動入賞検出センサ１１６と、始動入賞口１１に入賞した遊技球を検出するカウントスイッチ１２３と、普通図柄作動ゲート１９に設けられた遊技球の通過を検出すると普通図柄の変動開始信号を送る作動ゲート検出センサ１２１と、大入賞口７を開放することにより大入賞口７内に入賞した遊技球を検出するカウントスイッチ１１７と、大入賞口７の特定領域を通過した遊技球を検出する継続入賞スイッチ１１８と、打球操作ハンドル２が回動操作されて遊技球が発射される時にオンする打球操作ハンドルスイッチ１１９と、打球操作ハンドル２の所定箇所に設けられ押圧操作することにより打球発射装置４３の作動をオフさせて遊技球の発射を停止する打球操作ストップスイッチ１２０と、各入賞口に入賞した遊技球をセーフ球としてカウントし遊技球を賞品として払い出すために必要なセーフ信号を出力するセーフ球検出センサ１２２と、演出ボタン５１が操作されたとき操作信号を出力する演出ボタン操作スイッチ１２４が接続されている。
【００４９】
出力回路１１０には、普通図柄表示装置１８の当りＬＥＤ１８ａ及びはずれＬＥＤ１８ｂ、演出図柄表示装置６及び特別図柄表示装置４７の保留ＬＥＤ２５、普通図柄表示装置１８の保留ＬＥＤ２６、ラウンド表示装置４６のラウンド表示ＬＥＤ４６ａ、４６ｂ、４６ｃ、確変時短表示装置４８の確変ＬＥＤ４８ａ及び時短ＬＥＤ４８ｂ、球貸しＬＥＤ４９、度数表示器３９や各種表示ランプ（例えば、遊技効果ランプ１５）等を点灯／点滅制御するランプ制御基板３７と、大入賞口７としてのアタッカを開口動作するためのソレノイド１０６と、始動入賞口１１ｂとしての電動チューリップを開放動作するためのソレノイド１０７と、スピーカユニット１１３より各種の効果音を拡声させるための音声制御を行う音声制御基板３８と、オバケ型の可動物３１を落下動作するためのモータ１０５と、星型の可動物３２を回転動作するためのモータ１０８と、図示しないホール管理コンピュータ等に接続される外部情報端子１０９とが接続されている。
【００５０】
さらに、出力回路１１０には、払出制御基板４０及び表示制御基板１１１が接続されており、払出制御基板４０は、図示していないが内部に払出制御用ＣＰＵ、この払出制御用ＣＰＵの作業領域や各賞球コマンドに対応した賞品球数等を記憶保持するための記憶エリアを備えたＲＡＭ及び制御データ及び賞球払出しのための制御プログラム等が記憶されたＲＯＭなどを備えている。払出制御基板４０は、主制御基板４４のＣＰＵ１０２から指令される賞球コマンドに従って賞球払出装置４１を駆動制御し、賞品球の払出制御を行う。払出制御基板４０には、その他、発射制御基板４２を介して遊技領域５に向けて遊技球を弾発するための打球発射装置４３が接続されており、打球発射装置４３の動作停止と動作停止解除とを制御する。
【００５１】
次に、図６を参照して表示制御基板１１１について説明する。図６に示すように、表示制御基板１１１は、内部に表示制御プログラムを実行するＣＰＵ１４０、ＣＰＵ１４０が実行する表示制御プログラムを格納するＲＯＭ１４２及びＣＰＵ１４０の作業領域を構成するＣＰＵ１４０に内蔵されるＲＡＭ１４１を備えている。また、表示制御基板１１１は、ＬＣＤとしての演出図柄表示装置６に演出表示する画像を制御するＶＤＰ１４３、ＶＤＰ１４３が読み出す各コマンドに対応した表示制御データ（変動パターン等）及びキャラクタや図柄や背景等が記憶された画像データ用のＣＧＲＯＭ１４５、ＶＤＰ１４３が処理する画像データ等を一時的に記憶保持するための記憶エリアを備えたＶＲＡＭ１４４を備えている。
【００５２】
即ち、表示制御基板１１１は、主制御基板４４のＣＰＵ１０２から一方向のストローブ信号や表示制御用コマンド信号等の制御信号を図示しない入力回路を介して受け、ストローブ信号が入力されると、上記表示制御用ＣＰＵ１４０は表示制御用コマンドを認識する。するとＶＤＰ１４３は、この表示制御用コマンドに対応するデータエリアから表示制御データ及びキャラクタや図柄や背景等をＣＧＲＯＭ１４５から読み出し、上記画像データを一時記憶するＶＲＡＭ１４４に格納する。そしてＶＤＰ１４３は、この格納された画像データを、表示順がくるとＶＲＡＭ１４４から読み出し、ＣＰＵ１４０からの指令に応じて所定の態様でＬＣＤ（演出図柄表示装置６）に演出表示する。
【００５３】
なお、表示制御基板１１１は、電源が切られた場合でもＲＡＭ１４１及びＶＲＡＭ１４４の記憶内容を保持可能なＲＡＭ、ＶＲＡＭバックアップ１４６の回路を有しており、さらに、ＣＰＵ１４０には、図示しないドライバ回路を経由して７セグＬＥＤとしての特別図柄表示装置４７が接続されている。
【００５４】
また、上記した主制御基板４４は、表示制御基板１１１と同様な電源が切られた場合でもＲＡＭ１０４の記憶内容を保持可能なＲＡＭバックアップ１３０の回路を有しており、さらに、外部から主制御基板４４の内容等を試験するための試験用端子１３１、例えばコネクタ等も備えている。
【００５５】
なお、このバックアップ機能は、主制御基板４４のＲＡＭ１０４や表示制御基板１１１のＲＡＭ１４１及びＶＲＡＭ１４４以外に、上記した賞品球の払出を司る払出制御基板４０のＲＡＭ等、その他の制御回路のＲＡＭにも設けてもよい。また、上記したＲＡＭ１４１は、ＣＰＵ１４０に内蔵されていなくともよく、ＣＰＵ１４０に対し外付けであってもよい。
【００５６】
また、表示制御基板１１１に接続された特別図柄表示装置４７は、主制御基板４４の出力回路１１０に直接接続してもよく、また、主制御基板４４の出力回路１１０に直接接続したランプ制御基板３７と音声制御基板３８は、表示制御基板１１１あるいは払出制御基板４０に接続するようにしてもよい。さらに、入力回路１０１に接続した演出ボタン操作スイッチ１２４は、表示制御基板１１１の図示しない入力回路に接続するようにしてもよいし、入力回路１０１に接続した打球操作ハンドルスイッチ１１９と打球操作ストップスイッチ１２０は、発射制御基板４２あるいは払出制御基板４０に直接接続するようにしてもよい。
【００５７】
あるいは、主制御基板４４の出力回路１１０と接続される演出制御基板を新たに設け、この演出制御基板に表示制御基板１１１とランプ制御基板３７とを接続するようにしてもよい。そして、この場合には、演出ボタン操作スイッチ１２４は、演出制御基板に接続するようにしてもよい。これらは、遊技機制御装置１００を構成する各種装置の機能や配置及び各ＣＰＵの処理速度やＲＯＭ、ＲＡＭ等の記憶装置の容量等に応じて適宜設計すればよい。
【００５８】
次に、本発明の要旨となる外枠２２に設けられた電気部品と、外枠２２に対し開閉及び取り外し可能に組み付けられる内枠２３に設けられた該電気部品を制御する制御基板との電気的接続について、図７乃至図１７を参照しながら詳述する。図７は、遊技機１の全体背面略図、図８は、外枠コネクタ８８が外枠２２に取り付けられている状態を示す説明図、図９は、内枠コネクタ７７が内枠２３に取り付けられている状態を示す説明図、図１０は、内枠２３が外枠２２に閉止するときの内枠コネクタ７７と外枠コネクタ８８との接続の状態を示す説明図、図１１は、図８の矢印Ａの方向から視たときの外枠コネクタ８８の内部構造を示す説明図、図１２は、外枠コネクタ８８の図１１に示すＡ−Ａ断面における断面図、図１３は、図９の矢印Ｂの方向から視たときの内枠コネクタ７７の内部構造を示す説明図、図１４は、内枠コネクタ７７の図１３に示すＢ−Ｂ断面における断面図、図１５は、磁性体８１の構成を示す説明図、図１６は、内枠コネクタ７７と外枠コネクタ８８の接続する前の内部状態を示す説明図、図１７は、内枠コネクタ７７と外枠コネクタ８８の接続したときの内部状態を示す説明図である。
【００５９】
上記したように、内枠２３は、外枠２２に対し上下一対のヒンジ部材３５にて開閉及び取り外し可能に組み付けられており、内枠２３が外枠２２に閉止した状態を遊技機１の背面側から視ると、図７に示すようになる。外枠２２は、左右一対の縦枠部材７１ａ、７１ｂと、上下一対の横枠部材７２ａ、７２ｂとで矩形状に形成され、下側の横枠部材７２ｂと縦枠部材７１ａ、７１ｂ下部の前面側には、平板状の幕板７０が付設されている。そして、幕板７０の上方から上側の横枠部材７２ａにかけて形成される空間部に、内枠２３の裏機構部７５が嵌まり込むようになっている。
【００６０】
裏機構部７５には、賞球払出装置４１や打球発射装置４３等の装置や、遊技島から補給される遊技球を貯留する球貯留タンク等の機構に加えて、遊技機制御装置１００を構成する主制御基板４４、表示制御基板１１１、ランプ制御基板３７、音声制御基板３８、払出制御基板４０、発射制御基板４２等の制御基板が設けられており、これらの制御基板は、図５に示したように、主に自身の制御対象となる遊技盤２１に設けられた種々の電気部品や装置等に、図示しない電線で電気的に接続されるようになっている。なお、図７においては、裏機構部７５は、斜線で概略的に示している。
【００６１】
しかして、図７に示すように、本実施形態の遊技機１は、外枠２２の幕板７０の背面側にスピーカユニット１１３が取り付けられており、このスピーカユニット１１３は、主にアンプとスピーカとから構成され、内枠２３が外枠２２に閉止している状態では、内枠２３の裏機構部７５に設けられている音声制御基板３８と接続部材６０にて電気的に接続されるようになっている。
【００６２】
接続部材６０は、外枠２２に取り付けられる外枠コネクタ８８と、内枠２３に取り付けられる内枠コネクタ７７とにより構成されており、外枠コネクタ８８は、スピーカユニット１１３に電線８９で接続され、内枠コネクタ７７は、音声制御基板３８に電線７８で接続されている。外枠コネクタ８８と内枠コネクタ７７とは、内枠２３が外枠２２に閉止している状態で、互いに対向するように設けられ、外枠コネクタ８８は、図８に示すように、外枠２２の縦枠部材７１ｂの下部背面側に取り付けられており、一方、内枠コネクタ７７は、図９に示すように、内枠２３の裏機構部７５下部の側壁等に取り付けられている。なお、図８は、遊技機１を正面側から視た斜視図であり、図９は、遊技機１を背面側から視た斜視図である。
【００６３】
このように遊技機１に取り付けられた内枠コネクタ７７と外枠コネクタ８８とは、内枠２３が外枠２２から開放されている状態では離間しており、従って、スピーカユニット１１３と音声制御基板３８とは、この状態で電気的に接続されることはない。一方、内枠２３が開放されている状態から、ヒンジ部材３５により内枠２３を回動し、該内枠２３を外枠２２に対して閉止させるようにすると、図１０に示すように、内枠コネクタ７７と外枠コネクタ８８とが自動的に嵌合して接続されるようになり、従って、スピーカユニット１１３と音声制御基板３８とは、この状態で電気的に接続されることになる。なお、内枠コネクタ７７と外枠コネクタ８８とは、遊技機１のヒンジ部材３５側に設けられているので、内枠２３を回動したときの内枠コネクタ７７の移動距離が短く、これにより、内枠コネクタ７７と外枠コネクタ８８とはズレルことなく、確実に嵌合接続する。なお、図１０に示した内枠コネクタ７７と外枠コネクタ８８との接続状態は、内枠２３が外枠２２に対して完全に閉止する前の状態を示している。
【００６４】
次に、内枠コネクタ７７と外枠コネクタ８８の構成について詳述する。外枠コネクタ８８は、台座９０と箱状の筐体９１とから構成されており、筐体９１の一側面には、内枠コネクタ７７と嵌合接続するための中空部９２が形成されている。外枠コネクタ８８は、台座９０をビス９５で螺着することにより外枠２２の縦枠部材７１ｂに取り付けられており、この状態では、中空部９２が、図８に示すように、内枠２３側を向くようになっている。
【００６５】
中空部９２は、図１１、図１２に示すように、間口９３が形成され、この間口９３に、方形状の収納部９４が連続するように形成されている。間口９３は、後述する内枠コネクタ７７のスライド体５７よりも開口部が大きく形成されると共に、全体に亘ってテーパー状に形成され、該スライド体がスムーズに収納部９４に嵌合できるように構成されている。一方、収納部９４は、スライド体５７が遊嵌できるよう、スライド体５７よりも若干大きく形成されている。また、収納部９４には、そのほぼ中間位置に台座９８が形成されており、この台座９８に一対の端子７６と鉄板９７とが取り付けられている。
【００６６】
端子７６は、円柱状の黄銅棒で形成され、その一端には螺子が切られており、この螺子とナット９９とにより台座９８に所定間隔を保って螺着されている。また、端子７６には、電線８９が接続され、この電線８９は、収納部９４から外枠コネクタ８８の外部へと引き出されている。このように外枠コネクタ８８に形成される端子７６は、後述する内枠コネクタ７７の端子６５と接触して、スピーカユニット１１３と音声制御基板３８とを導通させる。
【００６７】
鉄板９７は、一対の端子７６の間に設けられ、ビス８７とナット８６とにより台座９８に螺着されている。このように外枠コネクタ８８に形成される鉄板９７は、後述する内枠コネクタ７７の磁性体８１と磁力により接合して、外枠コネクタ８８の端子７６と内枠コネクタ７７の端子６５との接触導通を確実なものにしている。
【００６８】
一方、内枠コネクタ７７は、台座５２をビス５３で螺着することにより内枠２３の裏機構部７５に取り付けられており、台座５２は、図１３に示すように、一端側のみがビス５３で螺着され、他端側は、裏機構部７５から遊技機1の背面側へ突出するように取り付けられており、この他端側に取付板５４がビス５５にて螺着されている。取付板５４には、箱状の筐体５６が形成され、この筐体５６には、同様な箱状のスライド体５７がスライド可能に設けられている。そして、内枠コネクタ７７が裏機構部７５に取り付けられた状態では、スライド体５７の先端側が、図９に示すように、外枠２２側を向くようになっている。
【００６９】
筐体５６は、図１４に示すように、内部が中空に形成され、筐体５６を形成する上板５８と下板５９の取付板５４側には、Ｓ１区間に渡って一対の溝８３が穿設されている。この溝８３により、上板５８及び下板５９には、段差部８２が形成される。また、筐体５６の内部には、取付板５４から平行状に延びる一対の棒状部材８４が形成されており、この棒状部材８４には、スプリング８５が伸張した状態で遊嵌されている。なお、棒状部材８４は、所定間隔をおいて取付板５４から延びているが、この間隔は、上記した外枠コネクタ８８の一対の端子７６の間隔とほぼ同じようになっている。この理由については、後述する。
【００７０】
次に、スライド体５７は、内部が中空に形成され、その先端側（外枠コネクタ８８側）及び後端側（取付板５４側）は開口している。スライド体５７の先端側には、一対のＬ字状の取付板６４が形成されており、この取付板６４とスライド体５７の周壁とで囲われた方形状の収納空間６７に、円盤状の黄鉄板で形成された端子６５が設けられている。端子６５は、上記した外枠コネクタ８８の端子７６と同じ間隔を保って設けられており、これにより、内枠２３が外枠２２に閉止した状態で、内枠コネクタ７７の端子６５と外枠コネクタ８８の端子７６が接触する。
【００７１】
また、端子６５は、電線７８と接続され、この電線７８には、スプリング６６が遊嵌されていると共に、このスプリング６６は、取付板６４と端子６５との間に伸張した状態で介装されている。これにより、端子６５は、収納空間６７内にて、図１４に示す矢印Ｃ方向に移動可能となる。このように内枠コネクタ７７に形成される端子６５は、上記した外枠コネクタ８８の端子７６と接触して、スピーカユニット１１３と音声制御基板３８とを導通させる。
【００７２】
スライド体５７を形成する上板６１と下板６２には、内側に向かって一対の支持板６８が離間して形成されており、この支持板６８には磁性体８１が取り付けられている。磁性体８１は、図１５（Ａ）（Ｂ）に示すように、フェライト磁石やネオジム磁石等からなる直方体状の磁石８０と、磁石８０よりも若干大きな表面積の平板状の２枚の鉄板７９とから構成されており、磁石８０を２枚の鉄板７９で挟み込むように形成されている。このように構成される磁性体８１は、スライド体５７の先端側にて収納空間６７の間に配置され、内枠２３を外枠２２に閉止した状態で、外枠コネクタ８８の鉄板９７と磁力により接合する。
【００７３】
支持板６８は、図１４に示すように、棒状部材８４に遊嵌されたスプリング８５と当接しており、内枠２３を外枠２２から開放した状態では、棒状部材８４の先端からＳ２区間だけ離間するようになっている。そして、この支持板６８と棒状部材８４とのＳ２区間は、上記した筐体５６に形成された溝８３の長さＳ１区間とほぼ同じ長さに形成されている。なお、端子６５と接続された電線７８は、収納空間６７から支持板６８の間を通って内枠コネクタ７７の外部へと引き出されている。
【００７４】
また、スライド体５７を形成する上板６１と下板６２の後端部には、一対の係止片６３が形成されており、この係止片６３は、筐体５６の溝８３をスライド可能になっており、内枠２３が開放されている状態では、伸張したスプリング８５により筐体５６の段差部８２と係合して、スライド体５７の外枠コネクタ８８側への移動を規制するようになっている。これにより、スライド体５７は、最大でＳ１区間（Ｓ２区間）だけ、筐体５６に対して図１４に示す矢印Ｃ方向にスライド可能となる。
【００７５】
次に、図１６、図１７を参照しながら、内枠２３が開放されている状態から、内枠２３を回動させて、該内枠２３を外枠２２に対して閉止させるときの、内枠コネクタ７７と外枠コネクタ８８の内部状態について説明する。図１６に示すように、内枠２３が外枠２２から開放されている状態では、内枠コネクタ７７において、伸張したスプリング８５により、スライド体５７の係止片６３が筐体５６の段差部８２と係合している。これにより、スライド体５７は、筐体５６から最大限突出した状態となっている。また、この状態では、スライド体５７の端子６５は、収納空間６７において、伸張したスプリング６６により、最大限外枠コネクタ８８側に近接した状態となっている。
【００７６】
この状態から、内枠２３を外枠２２に閉止すべく、内枠２３を回動させると、これに伴って内枠コネクタ７７が外枠コネクタ８８に接近し、スライド体５７の先端が外枠コネクタ８８の間口９３に臨むようになる。間口９３は、その開口部がスライド体５７よりも十分大きく、且つテーパー状に形成されているので、スライド体５７はスムーズに間口９３を通って、図１７に示すように、収納部９４に遊嵌する。さらに、内枠コネクタ７７と外枠コネクタ８８とは、遊技機１のヒンジ部材３５側に設けられているので、内枠２３を回動したときの内枠コネクタ７７の移動距離が短く、これにより、スライド体５７は、ほとんどズレルことなく、確実に収納部９４に遊嵌する。
【００７７】
スライド体５７が収納部９４に遊嵌すると、内枠コネクタ７７の磁性体８１と外枠コネクタ８８の鉄板９７とが、磁力により接合し、内枠コネクタ７７の端子６５と外枠コネクタ８８の端子７６とが、収納空間６７において接触導通する。このとき、内枠コネクタ７７の端子６５は、外枠コネクタ８８の端子７６に押圧され、スプリング６６が収縮して図１６の矢印Ｄと反対側に移動する。これと同時に、スライド体５７は、外枠コネクタ８８の端子７６に押圧され、スプリング８５が収縮して図１６の矢印Ｄと反対側に移動する。スライド体５７が移動する際には、係止片６３が溝８３をＳ１区間移動して、該係止片６３が取付板５４に当接すると共に、支持板６８がＳ２区間移動して、該支持板６８が棒状部材８４の先端に当接する。つまり、スライド体５７が収納部９４に遊嵌すると、スライド体５７は、Ｓ１区間（Ｓ２区間）だけ図１６の矢印Ｄと反対側に移動する。また、この状態では、図１７に示すように、内枠コネクタ７７の筐体５６の端面と、外枠コネクタ８８の筐体９１の端面とは、当接している。このように、開放されている内枠２３を外枠２２に対して閉止させると、内枠コネクタ７７と外枠コネクタ８８とが自動的に嵌合接続し、スピーカユニット１１３と音声制御基板３８とは、電気的に接続される。
【００７８】
ここで、内枠コネクタ７７と外枠コネクタ８８とが嵌合接続した状態では、磁性体８１の磁力により鉄板９７を吸引して磁性体８１と鉄板９７とが接合し、且つ、収縮したスプリング６６及びスプリング８５の付勢力により、内枠コネクタ７７の端子６５は外枠コネクタ８８側に付勢され、これにより、内枠コネクタ７７の端子６５と外枠コネクタ８８の端子７６とは、確実に接触する。
【００７９】
さらに、棒状部材８４に遊嵌されているスプリング８５は、端子７６同士の間隔と略同じ間隔をおいて取付板５４から平行に延びて、スプリング６６とほぼ一直線になるように設けられており、つまり、内枠コネクタ７７と外枠コネクタ８８とが嵌合接続した状態では、外枠コネクタ８８の端子７６と内枠コネクタ７７の端子６５、スプリング６６、スプリング８５とがほぼ一直線になるように設けられている。これにより、内枠コネクタ７７の端子６５と外枠コネクタ８８の端子７６とが接触したとき、外枠コネクタ８８の端子７６から内枠コネクタ７７に受ける矢印Ｄと反対側への押圧力に対して、内枠コネクタ７７の収縮したスプリング６６及びスプリング８５の矢印Ｄ側へ働く付勢力が一直線上で作用し、その結果、内枠コネクタ７７と外枠コネクタ８８との接続状態をより安定的にしている。
【００８０】
以上の説明から明らかなように、本実施形態に係る遊技機１は、外枠２２に取り付けられる外枠コネクタ８８と、内枠２３に取り付けられる内枠コネクタ７７とを設け、内枠２３が外枠２２から開放されている状態から、ヒンジ部材３５を介して内枠２３を回動し、該内枠２３を外枠２２に対して閉止させることで、内枠コネクタ７７と外枠コネクタ８８と（接続部材６０）が自動的に嵌合接続して、内枠２３に設けられている音声制御基板３８と外枠２２に設けられているスピーカユニット１１３とを電気的に接続するようにしている。従って、このように構成される本実施形態に係る遊技機１では、以下のような効果を奏する。
（１）例えば、電線のみを用いて外枠２２側の電気部品（スピーカユニット１１３）と内枠２３側の制御基板（音声制御基板３８）とを接続しようとすると、内枠２３を外枠２２から開放したとき断線したり、内枠２３を外枠２２に閉止したとき内枠２３と外枠２２との間に電線を挟み込んで破損したりしないように、電線の長さを調整する必要があるが、本実施形態の遊技機１によれば、そのような煩わしい作業はする必要がなく、外枠２２側の電気部品と内枠２３側の制御基板とを接続する電線を省略して、簡単な構成で容易に該電気部品と該制御基板とを導通させることができる。
（２）外枠２２側の電気部品と内枠２３側の制御基板とを接続する電線に、接続部材として着脱可能な雄型コネクタと雌型コネクタを設けて、内枠２３を外枠２２から取り外したときや、電線に過大な張力が加わったときに、接続部材の接続が外れて電線の損傷を防止するようにしても、外枠２２に内枠２３を取り付ける際には、依然として作業員が接続部材を接続する作業を行う必要があるが、本実施形態の遊技機１によれば、そのような煩わしい作業はする必要がなく、その結果、接続部材の接続をし忘れて遊技に支障を来すというトラブルは発生しない。
（３）内枠コネクタ７７と外枠コネクタ８８とは、遊技機１のヒンジ部材３５側に設けられているので、内枠２３を回動したときの内枠コネクタ７７の移動距離が短く、従って、内枠コネクタ７７と外枠コネクタ８８とは、ほとんどズレルことなく、確実に嵌合接続する。その結果、外枠２２側の電気部品と内枠２３側の制御基板とを、確実に導通させることができる。
（４）内枠コネクタ７７のスライド体５７が外枠コネクタ８８の収納部９４に嵌合するとき、外枠コネクタ８８の間口９３は、その開口部がスライド体５７よりも十分大きく、且つテーパー状に形成されているので、スライド体５７はスムーズに間口９３を通って、収納部９４に遊嵌する。従って、内枠コネクタ７７と外枠コネクタ８８とは、例え嵌合するとき多少のズレがあったとしても、確実に嵌合接続する。その結果、外枠２２側の電気部品と内枠２３側の制御基板とを、確実に導通させることができる。
（５）内枠コネクタ７７の端子６５と外枠コネクタ８８の端子７６とは、内枠コネクタ７７の磁性体８１と外枠コネクタ８８の鉄板９７とが、磁力により接合することで、自動的に接触導通する。従って、内枠コネクタ７７と外枠コネクタ８８との電気的な接続が極めて容易となり、その結果、外枠２２側の電気部品と内枠２３側の制御基板とを、容易且つ確実に導通させることができる。
（６）内枠コネクタ７７と外枠コネクタ８８とが嵌合接続した状態では、内枠コネクタ７７の端子６５は、収縮したスプリング６６及びスプリング８５の付勢力により、外枠コネクタ８８側に付勢され、従って、内枠コネクタ７７の端子６５と外枠コネクタ８８の端子７６とは、確実に接触する。その結果、外枠２２側の電気部品と内枠２３側の制御基板とを、確実に導通させることができる。
（７）内枠コネクタ７７と外枠コネクタ８８とが嵌合接続した状態では、外枠コネクタ８８の端子７６と内枠コネクタ７７の端子６５、スプリング６６、スプリング８５とがほぼ一直線になるように設けられている。従って、この状態では、外枠コネクタ８８の端子７６から内枠コネクタ７７に対する押圧力と、この押圧力と逆向きの内枠コネクタ７７の収縮したスプリング６６及びスプリング８５から外枠コネクタ８８に対する付勢力とが、一直線上でバランスよく作用し、内枠コネクタ７７と外枠コネクタ８８との接続状態をより安定的にしている。その結果、外枠２２側の電気部品と内枠２３側の制御基板とを、確実に導通させることができる。
（８）内枠コネクタ７７の端子６５と外枠コネクタ８８の端子７６とが接触するとき、内枠コネクタ７７のスライド体５７（端子６５）が、Ｓ１区間（Ｓ２区間）だけ、内枠コネクタ７７の移動方向と反対側に移動可能になっている。さらに、内枠コネクタ７７の端子６５は、スプリング６６の収縮分の長さだけ、内枠コネクタ７７の移動方向と反対側に移動可能になっている。即ち、内枠コネクタ７７の端子６５は、Ｓ１区間（Ｓ２区間）とスプリング６６の収縮分の長さとを加算した長さだけ、最大限、内枠コネクタ７７の移動方向と反対側に移動可能になっている。従って、例え内枠コネクタ７７と外枠コネクタ８８との取り付け位置が設定より所定間隔離れたとしても、この所定間隔が端子６５の移動範囲内であれば、内枠コネクタ７７の端子６５と外枠コネクタ８８の端子７６とは、接触することが可能となる。その結果、外枠２２側の電気部品と内枠２３側の制御基板とを、確実に導通させることができる。
【００８１】
以上、本発明の実施形態に係わる遊技機１を図面に基づいて説明してきたが、具体的な構成は実施形態に示したものに限定されるものではなく、本発明の要旨を逸脱しない範囲における変更や追加などがあっても本発明に含まれる。例えば、上述した実施形態においては、磁性体８１は、磁石８０と２枚の鉄板７９とから構成したが、これは限定するものではなく、例えば電磁石で構成するようにしてもよい。そして、この場合には、遊技機１の電源が入っているときだけ、電磁石が通電して磁力を発生させるようにするとよい。このようにすると、遊技機１の電源が入っていない状態では、接続部材６０にパチンコ球が引っ付くのを防止でき、その結果、この引っ付いたパチンコ球による接続部材６０の接続不良等のトラブルを極力回避することができる。
【００８２】
また、上述した実施形態においては、磁性体８１と鉄板９７とが磁力により結合するように構成したが、磁石同士（Ｓ極とＮ極）の磁力により結合するように構成してもよい。
また、上述した実施形態においては、スライド体５７をスライドさせると共に付勢する手段として、棒状部材８４とスプリング８５とを用いて構成したが、これは、例えばスポンジやゴム等の弾性部材を用いて構成するようにしてもよい。また、同様に、内枠コネクタ７７の端子６５をスライドさせると共に付勢する手段として、スプリング６６を用いたが、これも、同様に、スポンジやゴム等の弾性部材を用いるようにしてもよい。
【００８３】
また、上述した実施形態においては、外枠２２に設けられる電気部品としてスピーカユニット１１３、内枠２３に設けられる該電気部品を制御する制御基板として音声制御基板３８を例に挙げて説明したが、これは、例えば、遊技効果ランプ１５を外枠２２に設けられる電気部品とし、ランプ制御基板３７を内枠２３に設けられる該電気部品を制御する制御基板としてもよい。
【００８４】
また、上述した実施形態においては、外側コネクタ８８の間口９３の開口部がスライド体５７よりも大きく、且つテーパー状に形成したが、スライド体５７の方を間口９３よりも徐々に小さくなるテーパー状に形成してもよい。
【００８５】
なお、遊技機１は、上述した実施形態ではパチンコ機で説明したが、これは限定するものではなく、例えばスロットマシンやアレパチ、雀球等の遊技機に本発明を適用するようにしてもよい。
【００８６】
さらに、例えば、上述した実施形態においては、内枠コネクタ７７にスライド体５７を設けるようにしたが、このスライド体５７と同様な機能を外枠コネクタ８８に設けるようにしてもよい。以下、この他の実施形態について図１８、図１９を参照しながら説明する。なお、この他の実施形態の説明においては、上述した実施形態と同様な構成については同じ符号を付し、それら構成の詳細な説明については省略する。
【００８７】
図１８は、他の実施形態における内枠コネクタ７７と外枠コネクタ８８の接続する前の内部状態を示す説明図、図１９は、他の実施形態における内枠コネクタ７７と外枠コネクタ８８の接続したときの内部状態を示す説明図である。図１８に示すように、この他の実施形態では、上述した実施形態の内枠コネクタ７７の構成のうち、筐体５６に設けられた段差部８２、溝８３、棒状部材８４、スプリング８５と、スライド体５７に設けられた係止片６３とを無くし、スライド体５７は固定体として筐体５６に一体的に形成して新たな内枠コネクタ１７７としている。つまり、内枠コネクタ１７７においては、上述したスライド体５７は、スライドできない固定体となっている。
【００８８】
また、この他の実施形態では、上述した実施形態の外枠コネクタ８８の構成に、次のような構成を追加して、新たな外枠コネクタ１８８としている。即ち、外枠コネクタ１８８は、一対の係止片１９８ａが設けられた台座１９８と、この係止片１９８ａが係合する筐体９１に穿設された一対の溝２０２と、溝２０２により筐体９１に形成される一対の段差部２０１と、端子７６の螺子部に遊嵌する一対のスプリング２００とを備えており、台座１９８と、該台座１９８に取り付けられている端子７６や鉄板９７等の部品とでスライド体１５７を構成している。つまり、外枠コネクタ１８８においては、新たにスライド体１５７が形成されている。
【００８９】
このように構成される他の実施形態の内枠コネクタ１７７と外枠コネクタ１８８とは、内枠２３が外枠２２から開放されている状態では、外枠コネクタ１８８において、伸張したスプリング２００により、スライド体１５７の係止片１９８ａが筐体９１の段差部２０１と係合している。これにより、スライド体１５７は、内枠コネクタ１７７側に最大限近接した状態となっている。また、この状態では、内枠コネクタ１７７の端子６５は、収納空間６７において、伸張したスプリング６６により、最大限外枠コネクタ１８８側に近接した状態となっている。
【００９０】
この状態から、内枠２３を外枠２２に閉止すべく、内枠２３を回動させると、これに伴って内枠コネクタ１７７が外枠コネクタ１８８に接近し、内枠コネクタ１７７の先端が、図１９に示すように、収納部９４に遊嵌する。すると、内枠コネクタ１７７の磁性体８１と外枠コネクタ１８８の鉄板９７とが、磁力により接合し、内枠コネクタ１７７の端子６５と外枠コネクタ１８８の端子７６とが、収納空間６７において接触導通する。
【００９１】
このとき、内枠コネクタ１７７の端子６５は、外枠コネクタ１８８の端子７６に押圧され、スプリング６６が収縮して図１８の矢印Ｅと反対側に移動する。これと同時に、スライド体１５７は、内枠コネクタ１７７の端子６５に押圧され、スプリング２００が収縮して図１８の矢印Ｅ側に移動する。スライド体１５７が移動する際には、係止片１９８ａが溝２０２を移動して、図１９に示すように、端子７６の螺子部が筐体９１に当接する。
【００９２】
つまり、内枠コネクタ１７７が外枠コネクタ１８８に嵌合すると、スライド体１５７は、図１８の矢印Ｅ側に移動し、この状態では、図１９に示すように、内枠コネクタ１７７の筐体５６の端面と、外枠コネクタ１８８の筐体９１の端面とは、当接している。このように、開放されている内枠２３を外枠２２に対して閉止させると、内枠コネクタ１７７と外枠コネクタ１８８とが自動的に嵌合接続し、スピーカユニット１１３と音声制御基板３８とは、電気的に接続される。
【００９３】
ここで、内枠コネクタ１７７と外枠コネクタ１８８とが嵌合接続した状態では、磁性体８１の磁力により鉄板９７を吸引して磁性体８１と鉄板９７とが接合し、且つ、収縮したスプリング６６の付勢力により、内枠コネクタ１７７の端子６５は外枠コネクタ１８８側に付勢され、収縮したスプリング２００の付勢力により、外枠コネクタ１８８の端子７６は内枠コネクタ１７７側に付勢され、これにより、内枠コネクタ７７の端子６５と外枠コネクタ８８の端子７６とは、確実に接触する。
【００９４】
さらに、外枠コネクタ１８８のスプリング２００は、端子７６の螺子部に遊嵌されているので、内枠コネクタ７７のスプリング６６とほぼ一直線になるように設けられ、つまり、内枠コネクタ１７７と外枠コネクタ１８８とが嵌合接続した状態では、外枠コネクタ１８８の端子７６、スプリング２００と内枠コネクタ１７７の端子６５、スプリング６６とがほぼ一直線になるように設けられている。これにより、内枠コネクタ１７７の端子６５と外枠コネクタ１８８の端子７６とが接触したとき、外枠コネクタ１８８の端子７６から内枠コネクタ７７に受ける矢印Ｅと反対側への押圧力に対して、内枠コネクタ７７の収縮したスプリング６６の矢印Ｅ側へ働く付勢力が、また、内枠コネクタ７７の端子６５から外枠コネクタ１８８に受ける矢印Ｅ側への押圧力に対して、外枠コネクタ１８８の収縮したスプリング２００の矢印Ｅと反対側へ働く付勢力が、一直線上で作用し、その結果、内枠コネクタ７７と外枠コネクタ８８との接続状態をより安定的にしている。
【００９５】
なお、この他の実施形態では、上述した実施形態と同様に、内枠コネクタ１７７のスプリング６６は設けるように構成したが、このスプリング６６は、無くすようにしてもよい。或いは、他の実施形態における外枠コネクタ１８８と、上述した実施形態の内枠コネクタ７７とを組み合わせた構成としてもよい。
【００９６】
さらに、上述した実施形態又は他の実施形態においては、内枠コネクタ７７と外枠コネクタ８８との接続又は内枠コネクタ１７７と外枠コネクタ１８８との接続は、磁力と付勢力によって電気的に接続されるようにしたが、これは、磁力又は付勢力のみを使用して電気的に接続されるように構成してもよい。
【符号の説明】
【００９７】
１…遊技機、  ２…打球操作ハンドル、
３…打球誘導レール、  ４…遊技領域形成レール、
５…遊技領域、  ６…演出図柄表示装置（ＬＣＤ）、
７…大入賞口（アタッカ）、  ８…左図柄表示部、
９…中図柄表示部、  １０…右図柄表示部、
１１…始動入賞口、  １１ａ…チャッカー型始動入賞口、
１１ｂ…電動チューリップ型始動入賞口、  １２…打球供給皿、
１３…余剰球受皿、  １４…普通入賞口、
１５…遊技効果ランプ、  １６…アウト口、
１７…ガラス扉枠、  １８…普通図柄表示装置、
１８ａ…当りＬＥＤ、  １８ｂ…はずれＬＥＤ、
１９…普通図柄作動ゲート、  ２０…風車、
２１…遊技盤、  ２２…外枠、
２３…内枠、  ２４…皿ユニット、
２５…保留ＬＥＤ（特別図柄用）、  ２６…保留ＬＥＤ（普通図柄用）、
２７…ワンチップマイクロコンピュータ、  ２８…ファール球防止弁、
３０…表示部、  ３１…可動物（オバケ型）、
３２…可動物（星型）、  ３５…ヒンジ部材、
３７…ランプ制御基板、  ３８…音声制御基板、
３９…度数表示器、  ４０…払出制御基板、
４１…賞球払出装置、  ４２…発射制御基板、
４３…打球発射装置、  ４４…主制御基板、
４５…表示集合板、  ４６…ラウンド表示装置、
４６ａ、４６ｂ、４６ｃ…ラウンド表示ＬＥＤ、
４７…特別図柄表示装置（７セグメントＬＥＤ）、
４８…確変時短表示装置、  ４８ａ…確変ＬＥＤ、
４８ｂ…時短ＬＥＤ、  ４９…球貸しＬＥＤ、
５１…演出ボタン、  ５２…台座、
５３…ビス、  ５４…取付板、
５５…ビス、  ５６…筐体、
５７…スライド体、  ５８…上板、
５９…下板、  ６０…接続部材、
６１…上板、  ６２…下板、
６３…係止片、  ６４…取付板、
６５…端子、  ６６…スプリング、
６７…収納空間、  ６８…支持板、
７０…幕板、  ７１ａ、７１ｂ…縦枠部材、
７２ａ、７２ｂ…横枠部材、
７５…裏機構部、  ７６…端子、
７７…内枠コネクタ、  ７８…電線、
７９…鉄板、  ８０…磁石、
８１…磁性体、  ８２…段差部、
８３…溝、  ８４…棒状部材、
８５…スプリング、  ８６…ナット、
８７…ビス、  ８８…外枠コネクタ、
８９…電線、  ９０…台座、
９１…筐体、  ９２…中空部、
９３…間口、  ９４…収納部、
９５…ビス、  ９７…鉄板、
９８…台座、  ９９…ナット、
１００…遊技機制御装置、  １０１…入力回路、
１０２…ＣＰＵ、  １０３…ＲＯＭ、
１０４…ＲＡＭ、  １０５…モータ、
１０６…ソレノイド、  １０７…ソレノイド、
１０８…モータ、  １０９…外部情報端子、
１１０…出力回路、  １１１…表示制御基板、
１１３…スピーカユニット、  １１５…バス、
１１６…始動入賞検出センサ、  １１７…カウントスイッチ、
１１８…継続入賞スイッチ、  １１９…打球操作ハンドルスイッチ、
１２０…打球操作ストップスイッチ、  １２１…作動ゲート検出センサ、
１２２…セーフ球検出センサ、  １２３…カウントスイッチ、
１２４…演出ボタン操作スイッチ、  １３０…ＲＡＭバックアップ、
１３１…試験用端子、  １４０…ＣＰＵ、
１４１…ＲＡＭ、  １４２…ＲＯＭ、
１４３…ＶＤＰ、  １４４…ＶＲＡＭ、
１４５…ＣＧＲＯＭ、  １４６…ＲＡＭ、ＶＲＡＭバックアップ
１５７…スライド体、  １７７…内枠コネクタ、
１８８…外枠コネクタ、  １９８…台座、
１９８ａ…係止片、  ２００…スプリング、
２０１…段差部、  ２０２…溝
【図１】
0005978642.tif 000002
【図２】
0005978642.tif 000003
【図３】
0005978642.tif 000004
【図４】
0005978642.tif 000005
【図５】
0005978642.tif 000006
【図６】
0005978642.tif 000007
【図７】
0005978642.tif 000008
【図８】
0005978642.tif 000009
【図９】
0005978642.tif 000010
【図１０】
0005978642.tif 000011
【図１１】
0005978642.tif 000012
【図１２】
0005978642.tif 000013
【図１３】
0005978642.tif 000014
【図１４】
0005978642.tif 000015
【図１６】
0005978642.tif 000016
【図１７】
0005978642.tif 000017
【図１８】
0005978642.tif 000018
【図１９】
0005978642.tif 000019
【図１５】
0005978642.tif 000020